(57)【特許請求の範囲】
【請求項１】
着物のような前打ち合わせで体に巻きつけるようにして着用するワンピース本体を有し、
前記ワンピース本体は、後身頃と、この後身頃に接続され、着用者から見て左側となる左前身頃と、前記後身頃に接続され、前記着用者から見て右側となる右前身頃とを有し、
前記左前身頃に左前身頃帯状部材が取り付けられ、
前記右前身頃に右前身頃帯状部材が取り付けられ、
前記右前身頃と前記後身頃との間に前記左前身頃帯状部材を通す開口部が設けられ、該開口部は前記着用者の背丈方向に複数設けられ、
複数の前記開口部の内、背丈方向に高い位置に上側開口部があり、この上側開口部より背丈方向に低い位置に下側開口部があり、
前記前打ち合わせは、前記左前身頃の上に前記右前身頃を重ねるものであり、
前記左前身頃帯状部材を前記上側開口部又は前記下側開口部を通して、前記左前身頃帯状部材と前記右前身頃帯状部材を結束する
ことを特徴とするカシュクールワンピース。
【請求項２】
着物のような前打ち合わせで体に巻きつけるようにして着用するワンピース本体を有し、
前記ワンピース本体は、後身頃と、この後身頃に接続され、着用者から見て左側となる左前身頃と、前記後身頃に接続され、前記着用者から見て右側となる右前身頃とを有し、
前記左前身頃に左前身頃帯状部材が取り付けられ、
前記右前身頃に右前身頃帯状部材が取り付けられ、
前記右前身頃と前記後身頃との間に前記左前身頃帯状部材を通す開口部が設けられ、該開口部は前記開口部の幅より背丈方向に長く、
前記開口部を通る前記左前身頃帯状部材の位置は、前記開口部の前記背丈方向に自由であり、
前記前打ち合わせは、前記左前身頃の上に前記右前身頃を重ねるものであり、
前記左前身頃帯状部材を前記開口部を通して、前記左前身頃帯状部材と前記右前身頃帯状部材を結束するものであり、  
正面視で、前記右前身頃の下に前記左前身頃が見えるような場合には、前記開口部に位置する前記左前身頃帯状部材の部位を前記開口部内において垂直方向に上方に位置させることにより前記左前身頃の位置を上げて、前記右前身頃で前記左前身頃を隠し、
使用しない前記開口部の部位を覆うカバー体を前記ワンピース本体に設ける
ことを特徴とするカシュクールワンピース。
【請求項３】
使用しない開口部の部位を覆うカバー体をワンピース本体に設ける
ことを特徴とする請求項１記載のカシュクールワンピース。
【発明の詳細な説明】
【技術分野】
【０００１】
本発明は、カシュクールワンピースに係り、特に、見栄えの良好なカシュクールワンピースに関する。
【背景技術】
【０００２】
従来、ワンピースを着物のように左右の前身頃を重ねる所謂前打ち合わせで体に巻きつけるようにして着用し、紐、リボン、ボタン、ピン等で固定する「カシュクールワンピース」がある。
このカシュクールワンピースを妊婦時の体型に合わせた場合にあっては、着用者から見て左側となる左前身頃の上に着用者から見て右側となる右前身頃を重ねた前打ち合わせ時、正面視で、右前身頃で左前身頃が隠れるようにしている。
【発明の概要】
【発明が解決しようとする課題】
【０００３】
しかしながら、上記カシュクールワンピースにあっては、着用者の体型、例えば、妊婦時から出産を終えた通常時において、着用すると、正面視で、右前身頃の下に左前身頃が見え、見栄えが良好でないという問題点が生じた。
【０００４】
本発明は、前記問題点を考慮してなされたもので、見栄えの良好なカシュクールワンピースを提供することを目的とする。
【課題を解決するための手段】
【０００５】
請求項１記載のカシュクールワンピースは、着物のような前打ち合わせで体に巻きつけるようにして着用するワンピース本体を有し、前記ワンピース本体は、後身頃と、この後身頃に接続され、着用者から見て左側となる左前身頃と、前記後身頃に接続され、前記着用者から見て右側となる右前身頃とを有し、前記左前身頃に左前身頃帯状部材が取り付けられ、前記右前身頃に右前身頃帯状部材が取り付けられ、前記右前身頃と前記後身頃との間に前記左前身頃帯状部材を通す開口部が設けられ、該開口部は前記着用者の背丈方向に複数設けられ、複数の前記開口部の内、背丈方向に高い位置に上側開口部があり、この上側開口部より背丈方向に低い位置に下側開口部があり、前記前打ち合わせは、前記左前身頃の上に前記右前身頃を重ねるものであり、前記左前身頃帯状部材を前記上側開口部又は前記下側開口部を通して、前記左前身頃帯状部材と前記右前身頃帯状部材を結束するものである。
【０００６】
また、請求項２記載のカシュクールワンピースは、着物のような前打ち合わせで体に巻きつけるようにして着用するワンピース本体を有し、前記ワンピース本体は、後身頃と、この後身頃に接続され、着用者から見て左側となる左前身頃と、前記後身頃に接続され、前記着用者から見て右側となる右前身頃とを有し、前記左前身頃に左前身頃帯状部材が取り付けられ、前記右前身頃に右前身頃帯状部材が取り付けられ、前記右前身頃と前記後身頃との間に前記左前身頃帯状部材を通す開口部が設けられ、該開口部は前記開口部の幅より背丈方向に長く、前記開口部を通る前記左前身頃帯状部材の位置は、前記開口部の前記背丈方向に自由であり、前記前打ち合わせは、前記左前身頃の上に前記右前身頃を重ねるものであり、前記左前身頃帯状部材を前記開口部を通して、前記左前身頃帯状部材と前記右前身頃帯状部材を結束するものであり、正面視で、前記右前身頃の下に前記左前身頃が見えるような場合には、前記開口部に位置する前記左前身頃帯状部材の部位を前記開口部内において垂直方向に上方に位置させることにより前記左前身頃の位置を上げて、前記右前身頃で前記左前身頃を隠し、使用しない前記開口部の部位を覆うカバー体を前記ワンピース本体に設けるものである。
【０００７】
また、請求項３記載のカシュクールワンピースは、請求項１記載のカシュクールワンピースにおいて、開口部の部位を覆うカバー体をワンピース本体に設けるものである。
【発明の効果】
【０００８】
請求項１記載のカシュクールワンピースによれば、前打ち合わせ時、左前身頃帯状部材を下側開口部を通して、左前身頃帯状部材と右前身頃帯状部材を結束し、正面視で、右前身頃で左前身頃が隠れる場合は良いが、
着用者の体型により、正面視で、右前身頃の下に左前身頃が見えるような場合には、左前身頃帯状部材を上側開口部を通して、左前身頃帯状部材と右前身頃帯状部材を結束して、左前身頃の位置を上げて、右前身頃で左前身頃を隠すことができるようにして、見栄えの良好なカシュクールワンピースを提供することができる。
【０００９】
また、請求項２記載のカシュクールワンピースによれば、前打ち合わせ時、正面視で、左前身頃帯状部材を開口部を通して、左前身頃帯状部材と右前身頃帯状部材を結束し、右前身頃で左前身頃が隠れている場合は良いが、
正面視で、右前身頃の下に左前身頃が見えるような場合には、左前身頃帯状部材を開口部の前記位置より上位の位置に通して、左前身頃の位置を上げて、右前身頃で左前身頃を隠すことができるようにして、見栄えの良好なカシュクールワンピースを提供することができる。
【００１０】
また、請求項３記載のカシュクールワンピースによれば、上述した請求項１記載の発明の効果に加え、開口部の部位を覆うカバー体をワンピース本体に設けたため、外側から開口部の部位を介して肌着等が見えるのを防ぐことができる。
【図面の簡単な説明】
【００１１】
【図１】図１は、本発明の一実施例のカシュクールワンピースを妊娠時に着用した概略的図である。
【図２】図２は、図１のカシュクールワンピースを出産後に着用した概略的図である。
【図３】図３は、図２のカシュクールワンピースの左前身頃の位置を上げて、右前身頃で左前身頃を隠すことができるようにして着用した概略的図である。
【図４】図４は、図２の状態をわかりやすく説明するための概略的図である。
【図５】図５は、図３の状態をわかりやすく説明するための概略的図である。
【図６】図６は、図１のカシュクールワンピースの概略的展開図である。
【図７】図７（ａ）は、図１のカシュクールワンピースの左前身頃帯状部材を通す開口部近傍を表側から見た概略的図で、図７（ｂ）は、図７（ａ）を裏側から見た概略的図である。
【発明を実施するための形態】
【００１２】
本発明の一実施例のカシュクールワンピース（ワンピース）を図面（図１乃至図７）を参照して説明する。
【００１３】
図１に示すＯは、ワンピースを着物のような前打ち合わせ（衣服の、前身頃の重なったりする部分）で体に巻きつけるようにして着用して、紐、リボン、ボタン、ピン等で固定する「カシュクールワンピース（ワンピース）で、カシュクールワンピースＯは、着物のような前打ち合わせで体に巻きつけるようにして着用するワンピース本体１を有している。
【００１４】
ワンピース本体１は、図６に示すように、後身頃１１と、この後身頃１１に接続され、着用者から見て左側となる左前身頃１２と、後身頃１１に接続され、前記着用者から見て右側となる右前身頃１３とを有している。
なお、２は、着用者から見て左側となる左側袖であり、３は、着用者から見て右側となる右側袖である。
【００１５】
また、４は左前身頃帯状部材で、左前身頃帯状部材４は、左前身頃１２に取り付けられている。
５は右前身頃帯状部材で、右前身頃帯状部材５は、右前身頃１３に取り付けられている。
【００１６】
また、６は右前身頃１３と後身頃１１との間に設けられ、左前身頃帯状部材４を通す開口部で、この開口部６は着用者の背丈方向に複数設けられ、複数の開口部６（６１、６２）の内、背丈方向に高い位置に上側開口部６１があり、この上側開口部６１より背丈方向に低い位置に下側開口部６２がある。
そして、カシュクールワンピースＯを着物のように左前身頃１２の上に右前身頃１３を重ねて前打ち合わせをし、左前身頃帯状部材４を上側開口部６１又は下側開口部６２を通して、左前身頃帯状部材４と右前身頃帯状部材５を結束する。
【００１７】
従って、上述したカシュクールワンピース（ワンピース）Ｏによれば、前打ち合わせ時、正面視で、右前身頃１３で左前身頃１２が隠れている場合は良い（図１、図３及び図５参照）。この場合、左前身頃帯状部材４を下側開口部６２を通して、左前身頃帯状部材４と右前身頃帯状部材５を結束する。
なお、着用者の体型により、正面視で、右前身頃１３の下に左前身頃１２が見えるような場合には（図２及び図４参照）、左前身頃帯状部材４を上側開口部６１に通して、左前身頃帯状部材４と右前身頃帯状部材５を結束する。
このようにして、左前身頃１２の位置を上げて、右前身頃１３で左前身頃１２を隠すことができ、見栄えの良好なカシュクールワンピース（ワンピース）Ｏを提供することができる。
【００１８】
また、図６及び図７に示す１０は、開口部６（６１、６２）の部位を覆うカバー体で、このカバー体１０はワンピース本体１、例えば、ワンピース本体１の裏面側に設けられ、外側から開口部６（６１、６２）の部位を介して肌着等が見えるのを防ぐようにしている。
【００１９】
なお、上述した実施例においては、開口部６を上側開口部６１、下側開口部６２としたが、 本願発明は、上側開口部６１、下側開口部６２と分けず、上側開口部６１と下側開口部６２を連通した開口部（図示せず）としても良い。
前記開口部（図示せず）は前記開口部（図示せず）の幅より背丈方向に長く、正面視で、図２記載のように、右前身頃１３の下に左前身頃１２が見えるような場合には、前記開口部に位置する左前身頃帯状部材４の部位を前記開口部（図示せず）内において垂直方向に上方に位置させることにより左前身頃１２の位置を上げて、右前身頃１３で左前身頃１２を隠すことができる。なお、前記開口部（図示せず）を通る左前身頃帯状部材４の位置は、前記開口部（図示せず）の前記背丈方向に自由である。
【符号の説明】
【００２０】
Ｏ      カシュクールワンピース
１      ワンピース本体
１１    後身頃
１２    左前身頃
１３    右前身頃
２      被摺動部材
４      左前身頃帯状部材
５      右前身頃帯状部材
６      開口部
６１    上側開口部
６２    下側開口部
【要約】      （修正有）【課題】見栄えの良好なカシュクールワンピースを提供する。【解決手段】着物のような前打ち合わせで体に巻きつけるようにして着用するワンピース本体１を有し、ワンピース本体１は、後身頃１１と、左前身頃１２と、後身頃１１に接続され、右前身頃１３とを有し、左前身頃１２に左前身頃帯状部材４が取り付けられ、右前身頃１３に右前身頃帯状部材５が取り付けられ、右前身頃１３と後身頃１１との間に左前身頃帯状部材４を通す開口部が設けられ、該開口部は前記着用者の背丈方向に複数設けられ、複数の前記開口部の内、背丈方向に高い位置に上側開口部６１があり、上側開口部６１より背丈方向に低い位置に下側開口部６２があり、前記前打ち合わせは、左前身頃１２の上に右前身頃１３を重ねるものであり、左前身頃帯状部材４を上側開口部６１又は下側開口部６２を通して、左前見頃帯状部材４と右前身頃帯状部材５を結束する、カシュクールワンピース。【選択図】図６【図１】
0005739577.tif 000002
【図２】
0005739577.tif 000003
【図３】
0005739577.tif 000004
【図４】
0005739577.tif 000005
【図５】
0005739577.tif 000006
【図６】
0005739577.tif 000007
【図７】
0005739577.tif 000008